【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
複数種類の図柄を可変表示可能な図柄表示器を備え、スタートスイッチの操作を契機として前記図柄表示器の図柄を変動表示させた後に、ストップスイッチの操作を契機として前記図柄表示器の図柄を停止表示させ、当該図柄の停止表示態様に応じた処理を行うゲームを実行する遊技機において、
遊技状態を制御する遊技状態制御手段と、
前記図柄表示器の図柄の停止表示態様によって規定される複数種類の役に当選したか否かを決定する役抽選を実行する役抽選手段と、
報知を行うことが可能な報知手段と、
を備え、
前記役は、入賞することにより遊技用価値を遊技者に払い出す小役と、入賞することにより遊技用価値の増加が見込まれる第１ボーナス遊技状態に移行することとなる第１ボーナス役と、入賞することにより前記第１ボーナス遊技状態ほどの遊技用価値の増加が見込めない第２ボーナス遊技状態に移行することとなる第２ボーナス役とを含み、
前記遊技状態制御手段は、少なくとも、
前記第１ボーナス遊技状態と、
前記第２ボーナス遊技状態と、
前記第１ボーナス役の当選状態及び第２ボーナス役の当選状態を持ち越しておらず、前記役抽選で前記第１ボーナス役と前記第２ボーナス役に当選可能な非持越遊技状態と、
前記役抽選で前記第２ボーナス役に当選したゲームで前記第２ボーナス役に入賞せず、前記第２ボーナス役の当選状態を持ち越した状態で、かつ、前記第１ボーナス役に当選不能な状態でゲームが行われる第２持越遊技状態と
に遊技状態を制御可能であり、
前記第２持越遊技状態は、遊技用価値の減少が見込まれる遊技状態であり、かつ、前記非持越遊技状態よりも他の遊技状態への移行機会が少なくなる遊技状態であり、
前記報知手段は、前記第２ボーナス役に入賞可能なゲームで、当該第２ボーナス役に入賞可能な前記ストップスイッチの操作態様を示唆する特定報知を実行可能である、
ことを特徴とする遊技機。
【請求項２】
前記報知手段は、前記特定報知が行われた際の前記ストップスイッチの操作態様に応じて報知内容を異ならせる、ことを特徴とする請求項１に記載の遊技機。
【手続補正２】
【補正対象書類名】明細書
【補正対象項目名】０００８
【補正方法】変更
【補正の内容】
【０００８】
複数種類の図柄を可変表示可能な図柄表示器を備え、スタートスイッチの操作を契機として前記図柄表示器の図柄を変動表示させた後に、ストップスイッチの操作を契機として前記図柄表示器の図柄を停止表示させ、当該図柄の停止表示態様に応じた処理を行うゲームを実行する遊技機において、遊技状態を制御する遊技状態制御手段と、前記図柄表示器の図柄の停止表示態様によって規定される複数種類の役に当選したか否かを決定する役抽選を実行する役抽選手段と、報知を行うことが可能な報知手段と、を備え、前記役は、入賞することにより遊技用価値を遊技者に払い出す小役と、入賞することにより遊技用価値の増加が見込まれる第１ボーナス遊技状態に移行することとなる第１ボーナス役と、入賞することにより前記第１ボーナス遊技状態ほどの遊技用価値の増加が見込めない第２ボーナス遊技状態に移行することとなる第２ボーナス役とを含み、前記遊技状態制御手段は、少なくとも、前記第１ボーナス遊技状態と、前記第２ボーナス遊技状態と、前記第１ボーナス役の当選状態及び第２ボーナス役の当選状態を持ち越しておらず、前記役抽選で前記第１ボーナス役と前記第２ボーナス役に当選可能な非持越遊技状態と、前記役抽選で前記第２ボーナス役に当選したゲームで前記第２ボーナス役に入賞せず、前記第２ボーナス役の当選状態を持ち越した状態で、かつ、前記第１ボーナス役に当選不能な状態でゲームが行われる第２持越遊技状態とに遊技状態を制御可能であり、前記第２持越遊技状態は、遊技用価値の減少が見込まれる遊技状態であり、かつ、前記非持越遊技状態よりも他の遊技状態への移行機会が少なくなる遊技状態であり、前記報知手段は、前記第２ボーナス役に入賞可能なゲームで、当該第２ボーナス役に入賞可能な前記ストップスイッチの操作態様を示唆する特定報知を実行可能である、ことを特徴とする。
また、前記報知手段は、前記特定報知が行われた際の前記ストップスイッチの操作態様に応じて報知内容を異ならせる、ことを特徴とする。
なお、遊技機は以下のように構成されてもよく、複数種類の図柄を可変表示可能な図柄表示器を備え、スタートスイッチの操作を契機として前記図柄表示器の図柄を変動表示させた後に、ストップスイッチの操作を契機として前記図柄表示器の図柄を停止表示させ、当該図柄の停止表示態様に応じた処理を行うゲームを実行する遊技機において、遊技状態を制御する遊技状態制御手段と、前記図柄表示器の図柄の停止表示態様によって規定される複数種類の役に当選したか否かを決定する役抽選を実行する役抽選手段と、前記役抽選で当選した役と前記ストップスイッチの操作に応じて図柄を停止表示する制御を行う図柄制御手段と、前記図柄表示器で、前記役に係る図柄の停止表示態様が表示された場合に、当該役に入賞したと判定する入賞判定手段と、前記ストップスイッチの操作態様を遊技者に報知する操作態様報知処理を実行する報知処理実行手段と、前記操作態様報知処理に関する制御の実行を許容しない報知制御禁止状態と、前記操作態様報知処理に関する制御の実行を許容する報知制御許容状態とに制御するものであって、前記報知制御禁止状態で所定の報知制御許容条件が充足されると前記報知制御許容状態に移行させ、前記報知制御許容状態で、少なくとも所定の上限条件が充足されると、前記報知制御禁止状態に移行させる報知可否制御手段とを備え、前記役は、入賞することにより遊技用価値を遊技者に払い出す小役と、入賞することにより遊技用価値の増加が見込まれる第１ボーナス遊技状態に移行することとなる第１ボーナス役と、入賞することにより前記第１ボーナス遊技状態ほどの遊技用価値の増加が見込めない第２ボーナス遊技状態に移行することとなる第２ボーナス役とを含み、前記遊技状態制御手段は、少なくとも、前記第１ボーナス遊技状態と、前記第２ボーナス遊技状態と、前記第１ボーナス役の当選状態及び第２ボーナス役の当選状態を持ち越しておらず、前記役抽選で前記第１ボーナス役と前記第２ボーナス役に当選可能な非持越遊技状態と、前記役抽選で前記第２ボーナス役に当選したゲームで前記第２ボーナス役に入賞せず、前記第２ボーナス役の当選状態を持ち越した状態で、かつ、前記第１ボーナス役に当選不能な状態でゲームが行われる第２持越遊技状態とに遊技状態を制御可能であり、前記第２持越遊技状態は、遊技用価値の減少が見込まれる遊技状態であり、かつ、前記非持越遊技状態よりも他の遊技状態への移行機会が少なくなる遊技状態であり、前記報知可否制御手段は、少なくとも前記非持越遊技状態で前記報知制御禁止状態と前記報知制御許容状態に制御可能であり、前記報知処理実行手段は、前記報知制御許容状態の前記非持越遊技状態では、前記役抽選で前記第２ボーナス役に当選したゲームで、当該第２ボーナス役に入賞可能な前記ストップスイッチの操作態様を遊技者に報知する前記操作態様報知処理を実行するよう構成されており、さらに、前記報知制御許容状態で前記所定の上限条件が充足された時に、前記非持越遊技状態である場合は、前記報知制御禁止状態の前記非持越遊技状態に移行するよう構成されていることを特徴とする遊技機である。